(57)【要約】      （修正有）【課題】ホームシアターにおける、音声と映像の時間差を軽減する。【解決手段】ＤＶＤプレーヤに無線アダプタを装着し、同様に無線アダプタを装着した液晶プロジェクタに対して、ＤＶＤプレーヤからＡＶ信号を無線送信する。液晶プロジェクタ側の無線アダプタ内で音声のみをループバックし、ＤＶＤプレーヤ側の無線アダプタに返送信し、ＤＶＤプレーヤ側に接続されたスピーカシステムで音声出力をすることで、液晶プロジェクタの投影する映像とスピーカから出力される音声の時間差を軽減する。【選択図】図１
2005210449.tif 000002
【特許請求の範囲】
【請求項１】
ＡＶソース再生装置と、該ＡＶソース再生装置に接続される第一無線送受信アダプタと、該第一無線送受信アダプタに接続された第一音声出力部と、第一無線送受信アダプタと無線接続される第二無線送受信アダプタと、該第二無線送受信アダプタに接続された映像表示部で構成され、
該第一無線送受信アダプタが、映像信号と音声信号を符号化する符号化部と、該符号化部で符号化された映像信号及び音声信号を無線送信可能な第一無線処理部を有し、
該第二無線送受信アダプタが、該第一無線送受信部から無線送信された映像信号及び音声信号を受信可能な第二無線処理部と、受信した映像信号と音声信号を復号化する復号化処理部と、受信した音声信号をリアルタイム符号化可能なリアルタイム符号化部とを有し、該第二無線処理部において、リアルタイム符号化された音声信号を第一無線送受信アダプタにループバック送信可能であり、
さらに、該第一無線送受信アダプタは、ループバック送信された音声信号が第一無線処理部において受信可能であり、第一無線処理部で受信された音声信号をリアルタイム復号化を行うリアルタイム復号化部を有し、該復号化された音声信号を、第一音声出力部を介して音声出力可能であることを特徴とする再生システム。
【請求項２】
上記映像表示部に接続或いは内蔵された第二音声出力部を有し、上記第二無線送受信アダプタが第一スイッチを具備し、第一スイッチにより、受信され復号化されたディジタル音声信号を第二音声出力部を介して出力するか、ループバック無線送信するかを切換え可能であることを特徴とする請求項１に記載の再生システム。
【請求項３】
上記映像表示部に接続或いは内蔵された第二音声出力部を有し、上記第二無線送受信アダプタが第二スイッチを具備し、第二スイッチにより、受信され復号されＤ／Ａ変換されたアナログ音声信号を第二音声出力部を介して出力するか、ループバック無線送信するかを切換え可能であることを特徴とする請求項１に記載の再生システム。
【請求項４】
上記第一スイッチ又は第二スイッチの切換えを制御する制御部と、上記第二無線送受信アダプタと映像表示部が接続されているかどうかを判断する無線アダプタ装着検出部と、該切換えを自動で行うか手動で行うかを切換えることのできる自動／手動切換えスイッチを具備することを特徴とする請求項２又は３に記載の再生システム。
【請求項５】
上記第一スイッチ又は第二スイッチの切換えを行うための手動切換え手段を有することを特徴とする請求項４に記載の再生システム。
【請求項６】
上記無線アダプタ装着検出部において、上記第二無線送受信アダプタと映像表示部が接続されていないと判断された場合、上記第一スイッチ又は上記第二スイッチが、音声信号を第二音声出力部に出力するように切換えるように制御されることを特徴とする請求項４乃至５に記載の再生システム。
【請求項７】
上記第一無線処理部と上記第二無線処理部のリンクが確立されておらず、且つ上記無線アダプタ装着検出部において、上記第二無線送受信アダプタと映像表示部が接続されていると判断された場合、上記第一スイッチ又は上記第二スイッチが、音声信号を第二音声出力部に出力するように切換えるように制御されることを特徴とする請求項４乃至６に記載の再生システム。
【請求項８】
上記第一無線処理部と上記第二無線処理部のリンクが確立されており、且つ上記無線アダプタ装着検出部において、上記第二無線送受信アダプタと映像表示部が接続されていると判断された場合、上記第一スイッチ又は上記第二スイッチが、音声信号をループバックするように切換えるように制御されることを特徴とする請求項４乃至８に記載の再生システム。
【請求項９】
上記映像表示部が、液晶プロジェクタであることを特徴とする請求項１乃至８に記載の再生システム。
【請求項１０】
ＡＶソース再生装置及び音声出力装置に接続可能であり、ＡＶソース再生装置から入力される映像信号と音声信号を符号化する符号化部と、該符号化部で符号化された映像信号及び音声信号を無線送信可能な無線処理部を有し、
該無線処理部が無線音声信号を受信可能であり、受信された無線音声信号をリアルタイム復号化するリアルタイム復号化部を具備する共に、リアルタイム復号された音声信号を該音声出力装置に出力可能であることを特徴とする無線アダプタ。
【請求項１１】
映像表示装置及び音声出力装置と接続可能であり、無線送信された映像信号及び音声信号を受信可能な無線処理部と、受信した映像信号と音声信号を復号化する復号化処理部と、受信した音声信号をリアルタイム符号化可能なリアルタイム符号化部とを有し、
リアルタイム符号化された音声信号を無線送信元にループバック送信可能であることを特徴とする無線アダプタ。
【請求項１２】
第一スイッチを具備し、第一スイッチにより、受信され復号化されたディジタル音声信号を接続されている音声出力装置を介して出力するか、ループバック無線送信するかを切換え可能であることを特徴とする請求項１１に記載の無線アダプタ。
【請求項１３】
第二スイッチを具備し、第二スイッチにより、受信され復号されＤ／Ａ変換されたアナログ音声信号を接続された音声出力装置を介して出力するか、ループバック無線送信するかを切換え可能であることを特徴とする請求項１１に記載の無線アダプタ。
【請求項１４】
上記第一スイッチ又は第二スイッチの切換えを制御する制御信号を接続されている映像表示装置から受取られることを特徴とする請求項１２乃至１３に記載の無線アダプタ。
【発明の詳細な説明】
【技術分野】
【０００１】
本発明は、映像及び音声を再生する液晶プロジェクタとDVDプレーヤなどの再生機器とからなるホームシアターなどの再生システムに関する。
【背景技術】
【０００２】
従来より、ホームシアターにおける映像表示装置として液晶プロジェクタが利用され、この液晶プロジェクタに再生装置であるＤＶＤプレーヤ等から映像信号及び音声信号を供給することが行われている。
【０００３】
さらに、近年においては、ＡＶコードをなくする目的でＤＶＤプレーヤ等と液晶プロジェクタの双方に無線部を設けたワイヤレスシステムも提案されている。
【０００４】
このようなワイヤレスシステムを構成しない場合、図３（Ａ）に示しているように、ＡＶコードで音声信号と映像信号を液晶プロジェクタに供給し、液晶プロジェクタの内蔵スピーカで音声出力するシステム、或いは同図（Ｂ）に示しているように、映像信号のみを液晶プロジェクタに供給し、音声信号はＤＶＤプレーヤから無線で外部スピーカに送信するシステム、或いは、同図（Ｃ）に示すように、映像信号のみを液晶プロジェクタに供給し、音声信号はＤＶＤプレーヤに有線接続された外部スピーカに供給するシステムなどが考えられる。
【０００５】
また、特開平１１−２７５６８４号公報に記載のように、ホームシアターモード時に、外付けスピーカが駆動されるシステムも提案されている。
【０００６】
ワイヤレスを利用する図３（Ｂ）と図３（Ｃ）において、液晶プロジェクタ本体のサイズの制約から、簡易な小型スピーカしか搭載できない。
【０００７】
従って通常は、ＤＶＤプレーヤから液晶プロジェクタに映像信号をディジタル符号化してワイヤレス伝送した後ディジタル復号化し、音声信号はＤＶＤプレーヤと有線で伝送する図３（Ｃ）の利用形態が多い。
【０００８】
図３（C）では、ＤＶＤプレーヤに取り付けられた無線送受信アダプタでアナログ入力された映像信号をディジタル化して符号化した後、無線送信し、液晶プロジェクタに取り付けられた無線送受信アダプタで受信し、復号化して再生し、液晶プロジェクタにて表示する。
【０００９】
一方、ＤＶＤプレーヤから有線でスピーカに接続されたアナログ音声信号もスピーカを経由して出力される。
【特許文献１】特開平１１−２７５６８４号
【発明の開示】
【発明が解決しようとする課題】
【００１０】
図３（C）の場合、液晶プロジェクタで表示される映像信号は、無線区間無線ディジタル符号化とディジタル復号化処理部の処理のために、DVDプレーヤと有線で直接接続されたスピーカから出力される音声信号に対して、時間遅れ（遅延）が発生する。この映像表示と音声出力の時間的なずれに対して、視聴しているユーザが違和感を感じることになる。
【００１１】
例えば、この映像と音声のずれの検知眼、及び許容眼は、NHKの実験によると、
1)検知眼
音進み  ４６ｍｓ（１．４フレーム）
音遅れ  １２２ｍｓ（３．７フレーム）
2)許容眼
音進み  ７８ｍｓ（２．４フレーム）
音遅れ  １８２ｍｓ（５．５フレーム）
と報告されている（ HYPERLINK "http://www.nhk.or.jp/strl/publica/dayori9705/kaisetsu1-1-j.html" http://www.nhk.or.jp/strl/publica/dayori9705/kaisetsu1-1-j.html）。
【００１２】
この結果によれば、音声から映像が遅れる場合の許容範囲は、７８ｍｓ（２．４フレーム）しかない。
【００１３】
この映像信号の遅れ分を補正するために、予め、スピーカ出力までの何れかの経路で音声信号を時間的に遅らせる遅延回路を設け、映像信号表示と時間を合わせる方法もある。しかし、この方法では、この映像信号に対する音声信号の時間遅れの補正は、製品出荷時に行うか、もしくは機器購入ユーザ自身が、その補正調整作業を行う必要があり、煩雑で手間もかかることになる。
【課題を解決するための手段】
【００１４】
本願発明は、上記問題に鑑みなされたものであり、ＡＶソース再生装置と、該ＡＶソース再生装置に接続される第一無線送受信アダプタと、該第一無線送受信アダプタに接続された第一音声出力部と、第一無線送受信アダプタと無線接続される第二無線送受信アダプタと、該第二無線送受信アダプタに接続された映像表示部で構成され、該第一無線送受信アダプタが、映像信号と音声信号を符号化する符号化部と、該符号化部で符号化された映像信号及び音声信号を無線送信可能な第一無線処理部を有し、該第二無線送受信アダプタが、該第一無線送受信部から無線送信された映像信号及び音声信号を受信可能な第二無線処理部と、受信した映像信号と音声信号を復号化する復号化処理部と、受信した音声信号をリアルタイム符号化可能なリアルタイム符号化部とを有し、該第二無線処理部において、リアルタイム符号化された音声信号を第一無線送受信アダプタにループバック送信可能であり、さらに、該第一無線送受信アダプタは、ループバック送信された音声信号が第一無線処理部において受信可能であり、第一無線処理部で受信された音声信号をリアルタイム復号化を行うリアルタイム復号化部を有し、該復号化された音声信号を、第一音声出力部を介して音声出力可能であることを特徴とする再生システムである。
【００１５】
また、上記映像表示部に接続或いは内蔵された第二音声出力部を有し、上記第二無線送受信アダプタが第一スイッチを具備し、第一スイッチにより、受信され復号化されたディジタル音声信号を第二音声出力部を介して出力するか、ループバック無線送信するかを切換え可能に構成することができる。
【００１６】
又は、上記映像表示部に接続或いは内蔵された第二音声出力部を有し、上記第二無線送受信アダプタが第二スイッチを具備し、第二スイッチにより、受信され復号されＤ／Ａ変換されたアナログ音声信号を第二音声出力部を介して出力するか、ループバック無線送信するかを切換え可能に構成しても構わない。
【００１７】
さらに、上記第一スイッチ又は第二スイッチの切換えを制御する制御部と、上記第二無線送受信アダプタと映像表示部が接続されているかどうかを判断する無線アダプタ装着検出部と、該切換えを自動で行うか手動で行うかを切換えることのできる自動／手動切換えスイッチを具備するように構成することができる。
【００１８】
ここで、上記第一スイッチ又は第二スイッチの切換えを行うための手動切換え手段を有するように構成できる。
【００１９】
また、上記無線アダプタ装着検出部において、上記第二無線送受信アダプタと映像表示部が接続されていないと判断された場合、上記第一スイッチ又は上記第二スイッチが、音声信号を第二音声出力部に出力するように切換えるように制御されるように構成できる。
【００２０】
さらに、上記第一無線処理部と上記第二無線処理部のリンクが確立されておらず、且つ上記無線アダプタ装着検出部において、上記第二無線送受信アダプタと映像表示部が接続されていると判断された場合、上記第一スイッチ又は上記第二スイッチが、音声信号を第二音声出力部に出力するように切換えるように制御されるように構成することもできる。
【００２１】
さらに、上記第一無線処理部と上記第二無線処理部のリンクが確立されており、且つ上記無線アダプタ装着検出部において、上記第二無線送受信アダプタと映像表示部が接続されていると判断された場合、上記第一スイッチ又は上記第二スイッチが、音声信号をループバックするように切換えるように制御されることが可能である。
【００２２】
さらに、上記映像表示部が、液晶プロジェクタであるとより効果的である。
【００２３】
一方、本願発明は、ＡＶソース再生装置及び音声出力装置に接続可能であり、ＡＶソース再生装置から入力される映像信号と音声信号を符号化する符号化部と、該符号化部で符号化された映像信号及び音声信号を無線送信可能な無線処理部を有し、該無線処理部が無線音声信号を受信可能であり、受信された無線音声信号をリアルタイム復号化するリアルタイム復号化部を具備する共に、リアルタイム復号された音声信号を該音声出力装置に出力可能であることを特徴とする無線アダプタでもある。
【００２４】
また、映像表示装置及び音声出力装置と接続可能であり、無線送信された映像信号及び音声信号を受信可能な無線処理部と、受信した映像信号と音声信号を復号化する復号化処理部と、受信した音声信号をリアルタイム符号化可能なリアルタイム符号化部とを有し、リアルタイム符号化された音声信号を無線送信元にループバック送信可能であることを特徴とする無線アダプタでもある。
【００２５】
さらに、上記無線アダプタは、第一スイッチを具備し、第一スイッチにより、受信され復号化されたディジタル音声信号を接続されている音声出力装置を介して出力するか、ループバック無線送信するかを切換え可能であるように構成することもできる。
【００２６】
あるいは、上記無線アダプタは、第二スイッチを具備し、第二スイッチにより、受信され復号されＤ／Ａ変換されたアナログ音声信号を接続された音声出力装置を介して出力するか、ループバック無線送信するかを切換え可能であるように構成することもできる。
【００２７】
さらに、上記第一スイッチ又は第二スイッチの切換えを制御する制御信号を接続されている映像表示装置から受取られるように構成することも可能である。
【発明の効果】
【００２８】
ＤＶＤプレーヤの映像信号は、ワイヤレスで液晶プロジェクタに送信して投写し、音声信号はループバック音声信号を有線で接続したスピーカから出力するような構成とすることで、映像と音声の時間ずれのない再生システムを構成することができる。
【発明を実施するための最良の形態】
【００２９】
本発明の第一の実施例におけるブロック図を図１に示す。図１に示すように、ＤＶＤプレーヤ（６０）の操作パネルのプレイボタンを押下すると、再生処理が行われ、再生によって得られるアナログ映像・音声信号は、無線送受信アダプタ（４０）に入力される。
【００３０】
無線送受信アダプタ（４０）に入力されたアナログ映像信号、アナログ音声信号は、それぞれＡ／D変換器（４１）（４２）に供給されてディジタル化された後、ビデオ符号化部（４４）とオーディオ符号化部（４５）にて符号化処理を行って無線部（４７）に供給する。
【００３１】
無線部（４７）では、受け取った符号化映像・音声信号を所定の周波数の電波でディジタル変調してアンテナ（４８）を経由して無線送信する。
【００３２】
一方、無線送受信アダプタ（４０）は、音声出力端子が設けられており、有線にてオーディオアンプ（５１）とスピーカ（５２）からなる外部音声出力装置（５０）に接続されている。後述のようにループバックされた音声信号は、ここから音声出力される。
【００３３】
無線送受信アダプタ（１０）では、アンテナ（１）を経由して無線部（２）にて、ディジタル変調された電波を受信して復調処理を行って符号化映像・音声データを生成し、この符号化映像データと音声データをそれぞれ、ビデオ復号化部（３）とオーディオ復号化部（４）に供給する。
【００３４】
ビデオ復号化部（３）は、符号化映像データの復号処理を行って映像データを生成し、この映像データをＤ／Ａ変換器（７）に供給する。
【００３５】
Ｄ／Ａ変換器（７）は、映像データをアナログ映像信号に変換出力し、液晶プロジェクタ（２０）の映像信号入力端子に入力される。
【００３６】
一方、オーディオ復号化部（４）は、符号化音声データの復号処理を行って音声データを生成し、ディジタル切換えスイッチ（６）に入力される。
【００３７】
ディジタル切換えスイッチ（６）の一方の出力は、音声データをＤ／Ａ変換器（８）に供給する。
【００３８】
さらに、Ｄ／Ａ変換器（８）から出力されたアナログ音声信号は、液晶プロジェクタ（２０）の音声入力端子に入力される。
【００３９】
従って、ＤＶＤプレーヤ（６０）から液晶プロジェクタ（２０）とは、無線送受信アダプタ（４０）、（１０）を経由して、コードなしで接続されていることになる。
【００４０】
ディジタル切換えスイッチ（６）は、無線受信された音声のみを折返して（ループバック）、無線送受信アダプタ（４０）に戻すか、液晶プロジェクタ（２０）にそのまま伝送するかを切換え選択するものである。
【００４１】
この切換えの制御信号は、液晶プロジェクタ（２０）の制御部（２４）から与えられる。
【００４２】
一方、無線部（２）で受信されて復号化されたディジタル音声データ出力は、ディジタル切換えスイッチ（６）でａ側に切換えられたとき、同じ無線送受信アダプタ（１０）内のオーディオリアルタイム符号化部（５）でリアルタイム符号化されて、無線部（２）、アンテナ（１）を介して、送信側の無線送受信アダプタ（４０）に折返し送信（ループバック）される。
【００４３】
送信側の無線送受信アダプタ（４０）では、アンテナ（４８）、無線部（４７）を介してディジタル音声データをオーディオリアルタイム復号化部（４６）でリアルタイム復号化化して、再生し、Ｄ／Ａ変換器（４３）にてアナログ音声信号に変換された後、有線で接続された外部音声出力装置（５０）に供給する。
【００４４】
外部音声出力装置（５０）では、無線送受信アダプタ（４０）から供給される音声信号をオーディオアンプ（５１）にて増幅し、スピーカ（５２）を駆動する。
【００４５】
この音声信号のオーディオリアルタイム符号化部（５）、オーディオリアルタイム復号化部（４６）には、例えば非圧縮（無圧縮）で、遅延がほとんど無視できるほど小さい、リニアＰＣＭ方式などが採用できる。
【００４６】
リニアＰＣＭ方式は、サンプリングして量子化した音声データを非圧縮でそのまま伝送する方式であり、ＤＶＤビデオ作成などでも使われており、この場合の音声の符号化レートは最大６．１４４Ｍｂｐｓである。
【００４７】
リニアＰＣＭは、非圧縮のため伝送容量が大きくなるが、無線伝送区間に十分な伝送帯域が確保されておれば、問題はない。
【００４８】
このように、無線伝送された符号化映像・音声データは無線送受信アダプタ（１０）内でそれぞれ復号化されるまでは、同様の信号処理経路を同期をとりながら伝送されるため、映像・音声データ間の遅延時間は存在しない。
【００４９】
その後、この復号化された音声データを低遅延のリアルタイム符号化してループバック無線伝送した後、送信側の無線送受信アダプタ内（４０）内でリアルタイム復号化して、有線接続された外部音声出力装置（５０）で出力する。上記のように音声信号はオーディオリアルタイム符号化部（５）、オーディオリアルタイム復号化部（４６）では、例えば非圧縮（無圧縮）として遅延がほとんど無視できるほど小さくなるリニアＰＣＭ方式などが採用されるため。オーディオリアルタイム符号化からオーディオリアルタイム復号化までの処理で遅延時間はほとんど発生しないため、この処理期間において音声信号の映像信号に対する遅延時間が１フレーム以上になることはほとんどない。
【００５０】
また、音声信号のＤ／Ａ変換器（４３）、オーディオアンプ（５１）での処理と、映像信号のＤ／Ａ変換器（７）、ビデオ処理部（２１）での処理において、映像信号と音声信号の処理時間に差はほとんど発生しない。発生したとしても、映像信号が音声信号に対して若干の遅れを生じる程度で、この遅延時間は、上記音声信号のオーディオリアルタイム符号化からオーディオリアルタイム復号化の処理で要する処理時間と大差はない。従って、表示パネル（２２）に表示される映像とスピーカ（５２）から出力される音声とのずれ（遅延）は、ほとんど発生しない。
【００５１】
従って、無線伝送され、液晶プロジェクタ（２０）で投写された映像信号と、有線接続された外部音声出力装置（５０）から出力される音声信号との時間ずれの問題が解決できる。
【００５２】
他方、ディジタル切換えスイッチ（６）がｂ側に切換えられたとき、液晶プロジェクタ（２０）に入力されるアナログ音声信号は、有線ケーブルで接続されている外の外部音声出力装置（３０）か、もしくは小型スピーカを内蔵した液晶プロジェクタの音声出力装置（３０）に供給する。
【００５３】
この音声出力装置（３０）は、ホームシアター用のスピーカとは異なるものであり、例えば液晶プロジェクタ（２０）の付属品（オプションの場合もある）などであり、存在しない場合もある。
【００５４】
液晶プロジェクタ（２０）のビデオ処理部（２１）は、無線送受信アダプタ（１０）から供給された映像信号に対して周波数変換処理やガンマ補正などの各種処理を行い、液晶ドライブ信号を生成して液晶パネル部（２２）を駆動する。
【００５５】
また、液晶プロジェクタ（２０）には、制御部（２４）に接続された手動／自動切換えスイッチ（２５）が設けられている。手動が選択されると、手動操作（図示しないボタンやスイッチ）でディジタル切換えスイッチ（６）を切換えることができるように、制御部（２４）よりディジタル切換えスイッチ（６）に制御信号を送る。
【００５６】
一方、ユーザ操作で自動が選択されると、前記無線送受信アダプタ装着検出部（２３）の出力が制御部（２４）において有効化される。すなわち、制御部（２４）は、無線送受信アダプタ装置検出部（２３）が無線送受信アダプタ（１０）を装着していないと判断したときには、図３（ａ）のように、ＤＶＤプレーヤ（６０）が有線で直接液晶プロジェクタ（２０）に接続される場合となる。従ってＤＶＤプレーヤの音声出力が液晶プロジェクタの音声入力に直接有線接続されるため、音声信号は、液晶プロジェクタ（２０）に接続された、或いは内蔵の音声出力装置（３０）に供給される。
【００５７】
一方、制御部（２４）は、無線送受信アダプタ装置検出部（２３）が無線送受信アダプタ（１０）を装着していると判断し、且つ無線部（２）により、無線部（４７）とのリンクが確立されていることが確認できている場合は、音声信号をループバックするように、ディジタル切換えスイッチ（６）がａ側に切り替わる制御信号をディジタル切換えスイッチ（６）に送る。
【００５８】
また、制御部（２４）は、無線送受信アダプタ装置検出部（２３）が無線送受信アダプタ（１０）を装着していると判断し、且つ無線部（２）により、無線部（４７）とのリンクが確立されていることが確認できていない場合は、音声信号を液晶プロジェクタ側に出力するように、ディジタル切換えスイッチ（６）がｂ側に切り替わる制御信号をディジタル切換えスイッチ（６）に送る。
【００５９】
無線送受信アダプタ装着検出部（２３）は、例えば、装着時の導体検出する電気的検出手法、装着時の光の透過／遮断を検出する光学的検出手法、装着時の機械的スイッチ押下を検出する機械的検出手法等により、無線送受信アダプタ（１０）の装着（コネクタ接続）を検出する。
【００６０】
手動／自動切換えスイッチ（２５）は、液晶プロジェクタ（２０）筐体側に設けてもよいし、液晶プロジェクタ（２０）ようの用のリモコン送信機に設けておいてもよい。
【００６１】
制御部（２４）、無線送受信アダプタ装着検出部（２３）、手動／自動切換えスイッチ（２５）は、無線送受信アダプタ（１０）内に設けてもよい。
【００６２】
また、送信側の無線送受信アダプタ（４０）と受信側の無線送受信アダプタ（１０）が、無線部（４７）と無線部（２）を介してリンクされている場合は、そのリンクされている状態を無線部（２）で把握できる。従って、無線部（２）よりリンクが確立されているか否かを示すリンク判別信号が制御部（２４）に供給される。従って、制御部（２４）は、上記の如く送信側の無線部（４７）と受信側の無線部（２）のリンクが確立されているかどうかの確認を行うことができる。
【００６３】
また、ＬＳＩを考えた場合、無線送受信アダプタ（１０）内において、ビデオ復号化部（３）、オーディオ復号化部（４）、Ｄ／Ａ変換器（７）（８）が１パッケージ化されていることが一般的である。この場合、ディジタル切換えスイッチ（６）を図１のように挿入して無線送受信アダプタ（１０）を構成することは不可能である。従って、このような場合には、図２に示すような第二の実施例が可能である。図２では、図１と同一部分に関しては同じ参照符号を付している。
【００６４】
第二の実施例は、図２に示すように、ＤＶＤプレーヤ（６０）の操作パネルのプレイボタンを押下すると、再生処理が行われ、再生によって得られるアナログ映像・音声信号は、無線送受信アダプタ（４０）に入力される。
【００６５】
無線送受信アダプタ（４０）に入力されたアナログ映像信号、アナログ音声信号は、それぞれＡ／D変換器（４１）（４２）に供給されてディジタル化された後、ビデオ符号化部（４４）とオーディオ符号化部（４５）にて符号化処理を行って無線部（４７）に供給する。
【００６６】
無線部（４７）では、受け取った符号化映像・音声信号を所定の周波数の電波でディジタル変調してアンテナ（４８）を経由して無線送信する。
【００６７】
一方、無線送受信アダプタ（４０）は、音声出力端子が設けられており、有線にてオーディオアンプ（５１）とスピーカ（５２）からなる外部音声出力装置（５０）に接続されている。後述のようにループバックされた音声信号は、ここから音声出力される。
【００６８】
無線送受信アダプタ（１０）では、アンテナ（１）を経由して無線部（２）にて、ディジタル変調された電波を受信して復調処理を行って符号化映像・音声データを生成し、この符号化映像データと音声データをそれぞれ、ビデオ復号化部（３）とオーディオ復号化部（４）に供給する。
【００６９】
ビデオ復号化部（３）は、符号化映像データの復号処理を行って映像データを生成し、この映像データをＤ／Ａ変換器（７）に供給する。
【００７０】
Ｄ／Ａ変換器（７）は、映像データをアナログ映像信号に変換出力し、液晶プロジェクタ（２０）の映像信号入力端子に入力される。
【００７１】
一方、オーディオ復号化部（４）は、符号化音声データの復号処理を行って音声データを生成し、この音声データをＤ／Ａ変換器（７）に供給する。
【００７２】
Ｄ／Ａ変換器（８）は、音声データをアナログ音声信号に変換出力し、アナログ切換えスイッチ（１１）に入力する。
【００７３】
アナログ切換えスイッチ（１１）の一方の出力は、液晶プロジェクタ（２０）の音声入力端子に供給する。アナログ切換えスイッチ（１１）のもう一方の出力は、Ａ／Ｄ変換器（９）に接続されている。
【００７４】
従って、ＤＶＤプレーヤ（６０）から液晶プロジェクタ（２０）とは、無線送受信アダプタ（４０）、（１０）を経由して、コードなしで接続されていることになる。
【００７５】
アナログ切換えスイッチ（１１）は、無線受信されＤ／Ａ変換されたアナログ音声のみを折返して（ループバック）、無線送受信アダプタ（４０）に戻すか、液晶プロジェクタ（２０）にそのまま伝送するかを切換え選択するものである。
【００７６】
この切換えの制御信号は、液晶プロジェクタ（２０）の制御部（２４）から第一の実施例と同様に与えられる。
【００７７】
すなわち、無線部（２）で受信されて復号化されＤ／Ａ変換されたアナログ音声信号出力は、アナログ切換えスイッチ（１１）でｃ側に切換えられたとき、同じ無線送受信アダプタ（１０）内のＡ／Ｄ変換器で再ディジタル化された後、オーディオリアルタイム符号化部（５）でリアルタイム符号化されて、無線部（２）、アンテナ（１）を介して、送信側の無線送受信アダプタ（４０）に折返し送信（ループバック）される。
【００７８】
送信側の無線送受信アダプタ（４０）では、アンテナ（４８）、無線部（４７）を介してディジタル音声データをオーディオリアルタイム復号化部（４６）でリアルタイム復号化化して、Ｄ／Ａ変換器（４３）にてアナログ音声信号に変換された後、有線で接続された外部音声出力装置（５０）に供給する。
【００７９】
このように、無線伝送された符号化映像・音声データは無線送受信アダプタ（１０）内でそれぞれＤ／Ａ変換されるまでは、同様の信号処理経路を同期をとりながら伝送されるため、映像・音声データ間の遅延時間は存在しない。
【００８０】
その後、このＤ／Ａ変換された音声データを再デジタル化して低遅延のリアルタイム符号化してループバック無線伝送した後、送信側の無線送受信アダプタ内（４０）内でリアルタイム復号化してＤ／Ａ変換され（４３）、有線接続された外部音声出力装置（５０）で出力する。上記のように音声信号はオーディオリアルタイム符号化部（５）、オーディオリアルタイム復号化部（４６）では、例えば非圧縮（無圧縮）として遅延がほとんど無視できるほど小さくなるリニアＰＣＭ方式などが採用されるため。音声信号に再符号化からＤ／Ａ変換（４３）までの処理で遅延時間はほとんど発生しないため、この処理期間において音声信号の映像信号に対する遅延時間が１フレーム以上になることはほとんどない。
【００８１】
また、音声信号のオーディオアンプ（５１）での処理と、映像信号のビデオ処理部（２１）での処理において、映像信号と音声信号の処理時間に差はほとんど発生しない。発生したとしても、映像信号が音声信号に対して若干の遅れを生じる程度で、この遅延時間は、上記音声信号の再デジタル化からＤ／Ａ変換（４３）までの処理で要する処理時間と大差はない。従って、表示パネル（２２）に表示される映像とスピーカ（５２）から出力される音声とのずれ（遅延）は、ほとんど発生しない。
【００８２】
従って、無線伝送され、液晶プロジェクタ（２０）で投写された映像信号と、有線接続された外部音声出力装置（５０）から出力される音声信号との時間ずれの問題が解決できる。
【００８３】
他方、アナログ切換えスイッチ（１１）がｄ側に切換えられたとき、液晶プロジェクタ（２０）に入力されるアナログ音声信号は、有線ケーブルで接続されている外の外部音声出力装置（３０）か、もしくは小型スピーカを内蔵した液晶プロジェクタの音声出力装置（３０）に供給する。
【００８４】
また、液晶プロジェクタ（２０）には、制御部（２４）に接続された手動／自動切換えスイッチ（２５）が設けられている。手動が選択されると、手動操作（図示しないボタンやスイッチ）でアナログ切換えスイッチ（１１）を切換えることができるように、制御部（２４）よりアナログ切換えスイッチ（１１）に制御信号を送る。
【００８５】
一方、ユーザ操作で自動が選択されると、前記無線送受信アダプタ装着検出部（２３）の出力が制御部（２４）において有効化される。すなわち、制御部（２４）は、無線送受信アダプタ装置検出部（２３）が無線送受信アダプタ（１０）を装着していないと判断したときには、図３（ａ）のように、ＤＶＤプレーヤ（６０）が有線で直接液晶プロジェクタ（２０）に接続される場合となる。従ってＤＶＤプレーヤの音声出力が液晶プロジェクタの音声入力に直接有線接続されるため、音声信号は、液晶プロジェクタ（２０）に接続された、或いは内蔵の音声出力装置（３０）に供給される。
【００８６】
一方、制御部（２４）は、無線送受信アダプタ装置検出部（２３）が無線送受信アダプタ（１０）を装着していると判断し、且つ無線部（２）により、無線部（４７）とのリンクが確立されていることが確認できている場合は、音声信号をループバックするように、アナログ切換えスイッチ（１１）がｃ側に切り替わる制御信号をアナログ切換えスイッチ（１１）に送る。
【００８７】
また、制御部（２４）は、無線送受信アダプタ装置検出部（２３）が無線送受信アダプタ（１０）を装着していると判断し、且つ無線部（２）により、無線部（４７）とのリンクが確立されていることが確認できていない場合は、音声信号を液晶プロジェクタ側に出力するように、アナログ切換えスイッチ（１１）がｄ側に切り替わる制御信号をアナログ切換えスイッチ（１１）に送る。
【００８８】
上記構成例では、無線送受信アダプタ（４０）にＤＶＤプレーヤ（６０）と外部音声出力装置（５０）が接続されている構成を採用したが、無線送受信アダプタ（４０）がＤＶＤプレーヤ（６０）に内蔵されたり、外部音声出力装置（５０）に内蔵される構成としてもよい。
【００８９】
また、液晶プロジェクタ（２０）に無線送受信アダプタ（１０）が内蔵される構成としてもよい。
【００９０】
また、無線送受信アダプタ（４０）と無線送受信アダプタ（１０）においては、ディジタルの音声データの送受信を行うこととしており、無線ＬＡＮを用いたデータ伝送方式を採用できる。
【００９１】
無線ＬＡＮを用いる場合には、通信相手機との間での接続確立の確認が行えるので、液晶プロジェクタ（２０）の制御部（２４）は、上記接続確立の確認が行えた場合に（無線部（２）から接続確認を示す信号がコネクタを介して制御部（２４）に供給された場合に）、ディジタル切換えスイッチ（６）又はアナログ切換えスイッチ（１１）をループバックのいずれかのモードに切換えて、音声信号を送信側の無線送受信アダプタ（１０）に折返し供給するといった制御を行うことができる。
【００９２】
尚、無線送受信アダプタ（４０）と無線送受信アダプタ（１０）として無線ＬＡＮカードを用いても良い。
【００９３】
また、制御部（２４）と無線送受信アダプタ（１０）のマイクロコンピュータとが当該無線送受信アダプタ（１０）の装着時に例えば、ＵＳＢ接続、ＩＥＥＥ１３９４接続されるように構成することもできる。
【００９４】
また、無線送受信アダプタ（１０）を液晶プロジェクタ（２０）背面側に接続し、一方の無線送受信機アダプタ（４０）を汎用のＤＶＤプレーヤ（６０）と接続する構成としてもよい。
【００９５】
無線送受信アダプタ（４０）は、例えば各機種のＤＶＤプレーヤ（６０）ごとに用意されるものとし、対応機種のＡＶ端子に応じた位置でプラグ部を有するように構成してもよい。
【００９６】
また、ＤＶＤプレーヤ（６０）及び液晶プロジェクタ（２０）の双方にディジタル入出力端子が備えられているのであれば、無線送受信アダプタ（４０）及び無線送受信アダプタ（１０）も当該ディジタル入出力端子に対応した構成とすればよい。
【図面の簡単な説明】
【００９７】
【図１】本発明の第一実施例のブロック図
【図２】本発明の第二実施例のブロック図
【図３】従来技術の概念図
【符号の説明】
【００９８】
１            アンテナ
２             無線部
３             ビデオ復号化部
４             オーディオ復号化部
５             オーディオリアルタイム符号化部
６             第一ディジタル切換えスイッチ
７             Ｄ／Ａ変換器
８             Ｄ／Ａ変換器
９             Ａ／Ｄ変換器
１０           無線送受信アダプタ
１１           アナログ切換えスイッチ
２０           液晶プロジェクタ
２１           ビデオ処理部
２２           液晶パネル部
２３           無線アダプタ装着検出部
２４           制御部
３０           音声出力装置
３１           オーディオアンプ
３２           スピーカ
４０           無線送受信アダプタ
４１           Ａ／Ｄ変換器
４２           Ａ／Ｄ変換器
４３           Ｄ／Ａ変換器
４４           ビデオ符号化部
４５           オーディオ符号化部
４６           オーディオリアルタイム復号化部
４７           無線部
４８           アンテナ
５０           外部音声出力装置
５１           オーディオアンプ
５２           スピーカ
６０           ＤＶＤプレーヤ
【図１】
2005210449.tif 000003
【図２】
2005210449.tif 000004
【図３】
2005210449.tif 000005